(57)【要約】【課題】  経済性、遮光性及び組立性に優れ、且つ内装袋の入口部からの光の進入を有効に防止することができる感光記録材料用包装箱を提供すること。【解決手段】  感光記録材料用包装箱が、入口部１４５を有する遮光性の内装袋１４３に感光記録材料Ｍを収納した状態で収容可能な本体部３と、内装袋の取り出し口が形成される本体部の一端側に形成された蓋体部５とから構成される。蓋体部が５取り出し口の閉鎖状態と開放状態との間で可動の蓋可動部１２５を備え、蓋体部５には、蓋可動部１２５を閉鎖しているときに内装袋１４３の入口部の折り曲げ状態を維持する折り曲げ維持手段１２３を備える。【選択図】  図２
2005292711.tif 000002
【特許請求の範囲】
【請求項１】
入口部を有する遮光性の内装袋に感光記録材料を収納した状態で収容可能な本体部と、前記内装袋の取り出し口が形成される前記本体部の一端側に形成された蓋体部とから構成される包装箱において、前記蓋体部が前記取り出し口の閉鎖状態と開放状態との間で可動の蓋可動部を備え、前記蓋体部には、前記蓋可動部を閉鎖しているときに前記内装袋の入口部の折り曲げ状態を維持する折り曲げ維持手段を備えることを特徴とする感光記録材料用包装箱。
【請求項２】
請求項１において、前記折り曲げ維持手段は、蓋可動部の一部に設けられ、前記蓋体部の閉鎖時に前記内装袋の入口部が折り込まれた部分を弾性的に押さえて、該折り込み部分が自然に開放することを防止する内装袋押さえ板を備えることを特徴とする感光記録材料用包装箱。
【請求項３】
請求項１において、前記蓋体部は、前記蓋可動部と対向する側に位置し蓋体部の閉鎖時に蓋可動部と協同して前記取り出し口の閉鎖状態を維持する蓋閉鎖補助部を備え、前記折り曲げ維持手段は、前記蓋閉鎖補助部の一部に設けられ、前記蓋体部の閉鎖時に前記内装袋の入口部が折り込まれた部分を弾性的に押さえて、該折り込み部分が自然に開放することを防止する内装袋押さえ板を備えることを特徴とする感光記録材料用包装箱。
【請求項４】
請求項１〜３のいずれか一項において、前記内装袋押さえ板は、前記蓋体部の閉鎖時に前記蓋可動部の端辺が衝合する部分からの光の進入を防止するための差込フラップとしても機能することを特徴とする感光記録材料用包装箱。
【請求項５】
請求項１〜４のいずれか一項において、前記内装袋押さえ板は、前記感光記録材料用包装箱を構成する材料を折り曲げたときに生じる元の形状へ復帰する力を利用して、前記折り込まれた部分を弾性的に押さえることを特徴とする感光記録材料用包装箱。
【請求項６】
請求項５において、前記内装袋押さえ板は複数箇所に分割されており、これら分割された内装袋押さえ板の少なくとも一つを順次折り曲げて、前記折り込まれた部分を弾性的に押さえることを特徴とする感光記録材料用包装箱。
【請求項７】
請求項６において、前記分割された内装袋押さえ板を各々折り曲げるための罫線で折り曲げたときの前記元の形状へ復帰する力が、前記各罫線によって異なることを特徴とする感光記録材料用包装箱。
【請求項８】
請求項１〜７のいずれか一項において、前記蓋可動部の閉鎖状態を維持する係合手段が設けられていることを特徴とする感光記録材料用包装箱。
【発明の詳細な説明】
【技術分野】
【０００１】
本発明は、Ｘレイフィルム等の感光記録材料の包装に適した包装箱に関する。
【背景技術】
【０００２】
Ｘレイフィルム等の感光記録材料を包装する包装箱として、従来は例えば図９（ａ）〜（ｃ）に示すようなものが使用されていた。
図９（ａ）に示すものは、包装箱本体３０１と蓋体３０３とが別体であり、包装箱本体３０１の上部に蓋体挿嵌部３０５が形成されていて、そこに蓋体３０３が挿嵌されるようになっている（特開平６−１８６６７９号公報：特許文献１）。
また図９（ｂ）に示すものは、包装箱本体３０７と蓋体３０９とが当初は一体となっており、リッパー部３１１を横方向に引き取ることにより蓋体３０９が包装箱本体３０７に対して回動可能となり蓋体３０９を開放できるようになっている（特開平８−１１４８８９号公報：特許文献２）。
更に図９（ｃ）に示すものは、包装箱本体３１３の上面側の一部の領域が折れ線３１５を介して上方へ折れ曲がることにより、蓋体３１７が上方へ開放できるようになっている（特開２００３−１５６８２０号公報：特許文献３）。
【０００３】
しかし図９（ａ）に示すものは、包装箱本体３０１が二重となっているため、展開図の面積が約２倍となり、経済性に劣る。またこのような包装箱を組み立てるには、専用機を新規に導入する必要があるため設備投資にも費用が掛かる。また図９（ｂ）に示すものは、一旦リッパー部３１１を引き取った後は、この部分での遮光性が十分に確保できないという問題がある。更に図９（ｃ）に示すものは、蓋体３１７を一旦開けると折れ線３１５に開く方向の癖がつくため、ロック機構がないと蓋体３１７を閉じても自然に蓋体３１７が開いてしまい、十分な遮光性を確保できないという問題がある。また、ロック機構があっても、開け方がわかりにくいうえ両手での作業が必要とされ、なおかつ繰り返して使用すると紙が疲労するという問題がある。
【０００４】
また一般に、感光記録材料は遮光性の内装袋に収納され、この内装袋が包装箱に収納されるようになっている。そして内装袋の入口部分は２〜３回折り返して、入口部から光が入り込むことがないように注意を払っている。しかし内装袋の入口部を折り返して包装箱に収納しても、内装袋が元の形状に復帰しようとする傾向を有するため、包装箱内で内装袋の入口部の折り返しが次第に緩まり、入口部に光の入り込む隙間が形成されてしまうことがある。したがって、上記のような包装箱内に内装袋を収納していると、感光記録材料が感光してしまう危険に曝される。また運搬中に包装箱の一部が破損したり、包装箱の組立状態が悪いなどの理由により、包装箱内に光が進入すると、光が内装袋の入口部に入り込み、感光記録材料が感光してしまうこともある。
【０００５】
また上記のような折り返し部分の弛みを解消するために粘着テープ等で折り返し部分を止めることも可能であるが、感光記録材料を取り出す度に粘着テープを貼ったり剥がしたりすることは使用者にとって煩わしく、作業者がそのような作業を怠る場合もあり得る。
【０００６】
【特許文献１】特開平６−１８６６７９号公報
【特許文献２】特開平８−１１４８８９号公報
【特許文献３】特開２００３−１５６８２０号公報
【発明の開示】
【発明が解決しようとする課題】
【０００７】
従来の包装箱が有している上記の問題点を考慮して、本発明は、経済性、遮光性及び組立性に優れ、且つ内装袋の入口部からの光の進入を有効に防止することができる感光記録材料用包装箱を提供することを課題とした。
【課題を解決するための手段】
【０００８】
本発明者は鋭意検討を重ねた結果、以下の構成を有する本発明の感光記録材料用包装箱によれば上記の課題を解決しうることを見い出した。
本発明の感光記録材料用包装箱は、入口部を有する遮光性の内装袋に感光記録材料を収納した状態で収容可能な本体部と、前記内装袋の取り出し口が形成される前記本体部の一端側に形成された蓋体部とから構成される包装箱において、前記蓋体部が前記取り出し口の閉鎖状態と開放状態との間で可動の蓋可動部を備え、前記蓋体部には、前記蓋可動部を閉鎖しているときに前記内装袋の入口部の折り曲げ状態を維持する折り曲げ維持手段を備えることを特徴とするものである（第１の態様）。本発明の感光記録材料用包装箱では、蓋体部が閉鎖している状態において本体部内の遮光性が維持される。
【０００９】
上記発明において、前記折り曲げ維持手段は、蓋可動部の一部に設けられ、前記蓋体部の閉鎖時に前記内装袋の入口部が折り込まれた部分を弾性的に押さえて、該折り込み部分が自然に開放することを防止する内装袋押さえ板を備えていてもよい（第２の態様）。
また上記発明において、前記蓋体部は、前記蓋可動部と対向する側に位置し蓋体部の閉鎖時に蓋可動部と協同して前記取り出し口の閉鎖状態を維持する蓋閉鎖補助部を備え、前記折り曲げ維持手段は、前記蓋閉鎖補助部の一部に設けられ、前記蓋体部の閉鎖時に前記内装袋の入口部が折り込まれた部分を弾性的に押さえて、該折り込み部分が自然に開放することを防止する内装袋押さえ板を備えていてもよい（第３の態様）。
【００１０】
また上記発明において、前記内装袋押さえ板は、前記蓋体部の閉鎖時に前記蓋可動部の端辺が衝合する部分からの光の進入を防止するための差込フラップとしても機能するようにしてもよい（第４の態様）。
また上記発明において、前記内装袋押さえ板は、前記感光記録材料用包装箱を構成する材料を折り曲げたときに生じる元の形状へ復帰する力を利用して、前記折り込まれた部分を弾性的に押さえるようにしてもよい（第５の態様）。
【００１１】
また上記発明において、前記内装袋押さえ板は複数箇所に分割されており、これら分割された内装袋押さえ板の少なくとも一つを順次折り曲げて、前記折り込まれた部分を弾性的に押さえるようにしてもよい（第６の態様）。
また上記発明において、前記分割された内装袋押さえ板を各々折り曲げるための罫線で折り曲げたときの前記元の形状へ復帰する力が、前記各罫線によって異なっていてもよい（第７の態様）。
また上記発明において、前記蓋可動部の閉鎖状態を維持する係合手段が設けられていてもよい（第８の態様）。
【発明の効果】
【００１２】
第１の態様によれば、内装袋が包装箱内に収容されているときに、蓋体部に設けられた折り曲げ維持手段が内装袋の入口部の折り曲げ状態を維持するように作用するので、包装箱を開けたときに入った光により感光記録材料が誤って感光してしまうことを防止することができる。また内装袋の入口部の自然開放を防止するための粘着テープ等を使用する手間を要しない。
第２の態様によれば、蓋体部の閉鎖時に内装袋押さえ板が内装袋の入口部に折り込み部分を弾性的に押さえるため、包装箱内で内装袋が移動したり、包装箱をひっくり返したりした場合でも、折り込み部分が開放方向へ緩むことが防止される。
【００１３】
第３の態様では、蓋可動部側ではなく、蓋可動部と対向する側に位置し、蓋体部の閉鎖時に蓋可動部と協同して取り出し口の閉鎖状態を維持する蓋閉鎖補助部側に内装袋押さえ板を設けており、第２の態様と同様の効果が得られる。
第４の態様によれば、従来差込フラップとして機能している部材を内装袋押さえ板として利用できるため、余分な材料を追加して内装袋押さえ板を形成する必要がない。
【００１４】
第５の態様によれば、包装箱を構成する材料自体の特性を利用して折り込まれた部分を弾性的に押さえることができるから、他の付加的材料を必要としない。
第６の態様によれば、内装袋押さえ板の折り曲げた部分は、包装箱を複数回開閉することで次第に内装袋の折り込み部分を弾性的に押さえる力が弱まってくるので、順次、複数の内装袋押さえ板の折り曲げる位置を適宜変えることで、長期間に亘り、内装袋の折り込み部分を弾性的に押さえ続けることができる。
【００１５】
第７の態様によれば、包装箱内に収容する内装袋の種類に応じて、分割された内装袋押さえ板から適宜の強さで押さえることができる部分を選択して、内装袋の折り込み部分を弾性的に押さえることができる。
第８の態様によれば、粘着テープ等を使用しなくても、蓋可動部の閉鎖状態を容易に維持することができ、また係合手段の係合を解除することで蓋可動部を容易に開けることができる。
【発明を実施するための最良の形態】
【００１６】
以下において、本発明の感光記録材料用包装箱について、図面を参照しながら詳細に説明する。なお、本明細書において「〜」を用いて表される数値範囲は、「〜」の前後に記載される数値を下限値及び上限値として含む範囲を意味する。
【００１７】
図１は、本発明に係る感光記録材料用包装箱１（以下、包装箱１という）の完成状態における全体を示す斜視図である。包装箱１はほぼ直方体の形態を有し、本体部３と、本体部３の上部前面側に形成された蓋体部５とから構成されている。尚、本明細書において、「上下左右」及び「前後」の語を使用する場合には、図１に示す各々矢印で表す方向を意味するものとし、これらの方向は全ての実施形態の説明において同様である。
【００１８】
本体部３は前板１０７、左側板１０９、右側板１１１、背板１１３及び底板１１５を備えており、蓋体部５は蓋前板１１７、蓋左側板１１９、蓋右側板１２１及び内装袋押さえ板１２３から成る蓋可動部１２５と、外覆左側板１２７、外覆右側板１２９、外覆天板１３１及び各々外覆左側板１２７と外覆右側板１２９の上端から形成される小フラップ１３０から成る蓋閉鎖補助部１３３とを備えて成る。図示しないが蓋体部５が閉鎖している状態では、蓋閉鎖補助部１３３の外覆左側板１２７、外覆右側板１２９及び外覆天板１３１が、それぞれ蓋可動部１２５の蓋左側板１１９、蓋右側板１２１及び内装袋押さえ板１２３の外側に覆い被さり、２つの小フラップ１３０が外覆天板１３１の内側に折り込まれるようになるので、蓋体部５での遮光性が維持される。
【００１９】
また外覆天板１３１の中央には係止片１３５が形成されており、蓋前板１１７と内装袋押さえ板１２３との境界に形成された山折れ罫線１３７上にはスリット１３９が形成されている。蓋体部５が閉鎖しているときに、係止片１３５がスリット１３９に差し込まれることで、蓋体部５が自然に開放することが規制されている。係止片１３５には指掛け突起１４１が形成されており、この指掛け突起１４１は係止片１３５をスリット１３９から外すときに指を掛ける部分である。
【００２０】
本体部３の前板１０７と蓋体部５の蓋前板１１７との境界には下に凸となるように円弧状の筋押し３５が形成されており、この筋押し３５を回動軸として蓋可動部１２５が前側に回動することにより、蓋体部５が開放可能となっている。このような構成を採用することにより、蓋可動部１２５を円弧状の筋押し３５の周囲で前側に回動させると、筋押し３５の周辺が若干内方へ沈み込むように変形するとともに、この変形が元の状態に復帰しようとする時の反作用により、蓋可動部１２５が常時閉鎖する方向への付勢を受ける。そのため、誤って蓋可動部１２５を閉鎖することを忘れても、自動的に蓋体部５が閉鎖する状態に戻るし、また閉鎖状態から自然に蓋可動部１２５が開放することも防止できる。
【００２１】
筋押し３５の円弧の半径が大きいほど、蓋可動部２５が上記のように自動的に閉鎖する傾向は弱くなり、一方、筋押し３５の円弧の半径が小さいほど、自動的に閉鎖する傾向は強くなる。しかし、筋押し３５の円弧の半径が小さいほど蓋可動部１２５を開けにくくなる。従って筋押し３５の円弧の半径は、自動的に閉鎖する傾向と、蓋可動部１２５の開け易さとを考慮しながら、包装箱１を構成する材料の種類によって適宜決定する必要がある。例えば段ボール製の包装箱１の巾寸法Ｗが３７０ｍｍの場合、半径Ｒ（図１）は８６０ｍｍ〜１７２０ｍｍであることが好ましい。因みにこの場合、筋押し３５の円弧の最下位置と最上位置との距離はほぼ１０〜２０ｍｍとなる。
【００２２】
筋押し３５の形態は円弧である他、これと同様な作用を有するように筋押し３５を多角形の一部の辺から構成するようにしてもよい。一例として８本の直線の筋押しを、ほぼ下に凸の円弧に沿って連続的に配置する構成とすることができるが、このような直線の本数は８本に限定されるものではなく、円弧状の筋押し３５と実質的に同様な作用効果を得られるものであれば直線の本数は限定されない。
【００２３】
本発明の包装箱を構成する材料の種類は特に限定されないが、段ボールを用いることが好ましい。好ましい材料として、Ｅフルート（例えば段数が約９４／３００ｍｍ）やＦフルート（例えば段数が約１２０／３００ｍｍ）のようなマイクロフルート段ボールや、板紙を挙げることができる。
【００２４】
次に本発明の特徴的構成について説明する。図３に示すように包装箱１内には、感光記録材料Ｍが遮光性の内装袋１４３内に収容されている。内装袋１４３は遮光性を有するものであればその詳細は特に制限されない。例えば、好ましい内装袋として、遮光機能を持つ黒ポリ層と、防湿機能を持つ機能性フィルム及び接着層とから構成される内装袋を例示することができる。このような内装袋はアルミ箔などの金属を使用していないため環境保護に寄与しうるものであるが、折りグセが付き難くて折り目を保持できないために開封後の入口部から光が進入しやすいという問題を抱えていた。本発明はこのような問題を抱えている内装袋と組み合わせて使用するときに特に効果を発揮する。なお本発明は、従来から使用されているアルミ箔と紙の層を含む内装袋にも適用して、その遮光性をさらに高めることができる。
【００２５】
内装袋１４３は、感光記録材料Ｍを出し入れするための入口部１４５を有し、内装袋１４３が包装箱１内にあるときは、入口部１４５が折り込まれている（符号１４７で示す）。これにより、万が一、包装箱１に形成された隙間等から光が包装箱１内に入った場合でも、入口部１４５から内装袋１４３内に光が進入することを防止している。
【００２６】
一方上述したように、内装袋押さえ板１２３は、山折れ罫線１３７に沿って内側へ折り込まれているが、包装箱１を構成する段ボールなどの材料の性質上、内装袋押さえ板１２３はある程度まで元の形状に復帰しようと傾向（蓋前板１１７と平坦になる方向に戻ろうとする傾向）がある。そのため、蓋可動部１２５を閉鎖した状態では、内装袋押さえ板１２３が、蓋前板１１７と平坦になろうとする方向（矢印１２４の方向）に復帰しようとすることで、図３に示すように内装袋押さえ板１２３の端部が内装袋１４３の折り込み部分１４７を弾性的に押さえ込み、包装箱１内で折り込み部分１４７が自然に開放することを防止することができる。尚、内装袋押さえ板１２３は、蓋体部の閉鎖時に蓋可動部の端辺が衝合する部分からの光の進入を防止するための差込フラップとしても機能する。
【００２７】
また図１に示す実施形態の包装箱１の左側板１０９及び右側板１１１には、易分解構造１４９が適用されている。この易分解構造１４９は、次に説明する図４に示す実施形態でも同様に採用されているため、図４に示す実施形態において具体的に説明する。
【００２８】
次に図４〜図６を参照しながら、内装袋１４３の折り込み部分１４７を押さえる他の構造を備える他の実施形態について説明する。尚、図４及び図５中、図１で使用されている符号と同じ符号を付している部分は図１の実施形態と同じ構造であるので説明を省略する。
【００２９】
図４に示す実施形態では、図１に示すような形態の内装袋押さえ板１２３は蓋前板１１７に設けられていない。これに代わり、図５に示すように外覆天板１３１に山折り罫線１５１を介して前覆板１５３が形成されており、更に、前覆板１５３に対して３つの互いに分離した内装袋押さえ板１５５、１５７、１５９が、それぞれ山折れ罫線１６１、１６３、１６５を介して接続されている。図示しないが、蓋体部５が閉鎖しているときには、前覆板１５３の上に蓋前板１１７が重なった状態で、蓋前板１１７と外覆天板１３１との間に粘着テープ（図示せず）を貼付して、蓋体部５が自然に開放しないようになっている。尚本実施形態では、外覆左側板１２７、外覆右側板１２９、小フラップ１３０、外覆天板１３１、前覆板１５３、内装袋押さえ板１５５、内装袋押さえ板１５７及び内装袋押さえ板１５９が蓋閉鎖補助部１３３を構成している。
【００３０】
蓋体部５が閉鎖しているときには、３つの内装袋押さえ板１５５、１５７、１５９のうち、例えば中央の内装袋押さえ板１５５だけが山折れ罫線１６１に沿って内側に大きく折り込まれている。図６に示すように、この大きく折り込まれた内装袋押さえ板１５５の端部１５５ａは、包装箱１内に収容された内装袋１４３の折り込み部分１４７を押さえ込み、包装箱１内で折り込み部分１４７が自然に開放することを防止することができる。
【００３１】
しかし長期間に亘り中央の内装袋押さえ板１５５を山折れ罫線１６１で大きく内側に折り曲げておくと、山折れ罫線１６１によって中央の内装袋押さえ板１５５を折り曲げた状態を維持する力が弱まってくるため、このような場合には左右の内装袋押さえ板１５７、１５９を順次、山折れ罫線１６３、１６５に沿って大きく折り曲げて使用する。即ち、３つの内装袋押さえ板１５５、１５７、１５９のうち、少なくとも１つが内装袋１４３の折り込み部分１４７を押さえるようにして、折り込み部分１４７が自然に開放してしまうことによる入口部１４５からの光の進入を防止している。尚、３つの内装袋押さえ板１５５、１５７、１５９は、蓋体部の閉鎖時に蓋可動部の端辺が衝合する部分からの光の進入を防止するための差込フラップとしても機能する。
【００３２】
図４に示す実施形態では、各山折れ罫線１６１、１６３、１６５で内装袋押さえ板１５５、１５７、１５９を折り曲げたときに元の形状へ復帰しようとする力が同じであると仮定しているが、各山折れ罫線１６１、１６３、１６５の筋押しの深さを変えたり、一部をミシン目に変えたりすることにより、内装袋押さえ板１５５、１５７、１５９を折り曲げたときに元の形状へ復帰しようとする力が異なるようにしてもよい。また、内装袋押さえ板１５５、１５７、１５９の長さを変えて、スプリング効果が異なるようにしてもよい。
尚図５中、符号１６７、１６９で示す部分は、それぞれ指掛け突起及び指摘み部であり、これらは蓋体部５を開ける際の使用者の便宜のために設けられている。
【００３３】
次に図１及び図４に示す実施形態において適用されている易分解構造１４９について説明する。尚、易分解構造１４９は図１及び図４に示す実施形態で同じ構造が採用されているため、図４の実施形態に沿って説明する。
【００３４】
図４に示すように包装箱１の左側板１０９及び右側板１１１の中央乃至下方部分にはミシン目１７１が形成されており、蓋体部５を開放する方向へ大きな力で引っ張ることにより、図５に示すようにミシン目１７１に沿って比較的容易に破くことができるようになっている。図５に示すように易分解構造１４９が適用される部分は、外側に位置する左側板１０９及び右側板１１１と、これらのそれぞれ内側に位置する左内側板１７３及び右内側板（図示せず）とが重なって構成されている。左内側板１７３及び右内側板（図示せず）には、ミシン目１７１よりも後方側には糊付けがなされておらず、ミシン目１７１よりも前側には糊付けがされている。そのため左内側板１７３及び右内側板（図示せず）のミシン目１７１よりも前側部分は、それぞれ左側板１０９及び右側板１１１のミシン目１７１より前側部分に接着しており、その結果、蓋体部５を開放する方向へ大きな力で引っ張ることにより、大きな抵抗なくミシン目１７１に沿って破くことができ、本体部３を平坦な状態に容易に分解することができる。
【００３５】
次に図７を参照しながら、図４の実施形態を一部変形した実施形態について説明する。尚、図７中、図４〜図６で使用されている符号と同じ符号を付している部分は図４の実施形態と同じ構造であるので説明を省略する。
【００３６】
図７に示す実施形態では、図４の実施形態の構成を基本構成とし、更に前覆板１５３のほぼ中央に差込スリット１７７が追加的に形成されている。また蓋前板１１７の上端側の中央には、谷折れ罫線１８１で谷折れ可能な係合片１７９が形成されており、係合片１７９の上端には山折れ罫線１８３で山折れ可能な差込片１８５が形成されている。
【００３７】
図７に示す実施形態では、蓋体部５が閉鎖しているとき、前覆板１５３の上に蓋前板１１７が重なった状態で、差込片１８５が差込スリット１７７に差し込まれることにより、蓋体部５の閉鎖状態を維持できるようになっている。尚、差込片１８５及び差込スリット１７７は第８の態様の係合手段に相当する。このような構成を採用することにより、図４の実施形態のように、蓋前板１１７と外覆天板１３１との間に粘着テープを貼付する必要がなく、また蓋体部５を開放する場合にも粘着テープを剥がす必要もない。
【００３８】
また図５及び図７に示す実施形態において、内装袋押さえ板１５５、１５７、１５９を３つに分割せずに図８に示すように単一の内装袋押さえ板１５５としても良い。
【産業上の利用可能性】
【００３９】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００４０】
【図１】本発明の感光記録材料用包装箱の、完成状態における全体を示す斜視図である。
【図２】本発明の感光記録材料用包装箱の、蓋体部を開放した状態を示す斜視図である。
【図３】蓋体部の閉鎖時の内装袋押さえ板の作用を示す側断面図である。
【図４】本発明の他の実施形態に係る感光記録材料用包装箱の、完成状態における全体を示す斜視図である。
【図５】図４の実施形態で、易分解構造を利用して本体部を分解した状態を示す斜視図である。
【図６】他の実施形態に係る感光記録材料用包装箱の蓋体部の、閉鎖時の内装袋押さえ板の作用を示す斜視図及び側断面図である。
【図７】本発明の更に他の実施形態に係る感光記録材料用包装箱の、蓋体部を開放した状態を示す斜視図である。
【図８】本発明の更に他の実施形態に係る感光記録材料用包装箱の、蓋体部を開放した状態を示す斜視図である。
【図９】感光記録材料用包装箱の３つの従来例を示す斜視図である。
【符号の説明】
【００４１】
１  感光記録材料用包装箱、３  本体部、５  蓋体部、３５  筋押し
１０７  前板、１０９  左側板、１１１  右側板、１１３  背板、１１５  底板
１１７  蓋前板、１１９  蓋左側板、１２１  蓋右側板、１２３  内装袋押さえ板
１２５  蓋可動部、１２７  外覆左側板、１２９  外覆右側板、１３０  小フラップ
１３１  外覆天板、１３３  蓋閉鎖補助部、１３５  係止片、１３７  山折れ罫線
１３９  スリット、１４１  指掛け突起、１４３  内装袋、１４５  入口部
１４７  内装袋の折り込み部分、１４９  易分解構造、１５１  山折り罫線
１５３  前覆板、１５５  内装袋押さえ板、１５７  内装袋押さえ板
１５９  内装袋押さえ板、１６１  山折れ罫線、１６３  山折れ罫線
１６５  山折れ罫線、１６７  指掛け突起、１６９  指摘み部、１７１  ミシン目
１７３  左内側板、１７７  差込スリット、１７９  係合片、１８１  谷折れ罫線
１８３  山折れ罫線、１８５  差込片、Ｍ  感光記録材料
【図１】
2005292711.tif 000003
【図２】
2005292711.tif 000004
【図３】
2005292711.tif 000005
【図４】
2005292711.tif 000006
【図５】
2005292711.tif 000007
【図６】
2005292711.tif 000008
【図７】
2005292711.tif 000009
【図８】
2005292711.tif 000010
【図９】
2005292711.tif 000011